(57)【特許請求の範囲】
【請求項１】
カメラ（３０）を有する遠隔通信端末機器であって、
該遠隔通信端末機器は少なくとも２つのマーキング（４５，４６）を有し、
該マーキングはカメラにより捕捉される角度領域（３１）を指示し、
前記少なくとも２つのマーキング（４５，４６）は、遠隔通信端末機器のケーシング（１０）に埋め込まされた個所として構成されており、
当該マーキングの位置および形状は、遠隔通信機器（１）に対して所定の角度領域（４１）にある点からだけ見ることができるように構成されている形式の遠隔通信端末機器において、
前記少なくとも２つのマーキング（４５，４６）は、遠隔通信機器（１）のハウジング（１０）内の少なくとも２つの窪みチャネル（４０，４１）内に存在し、
該少なくとも２つの窪みチャネル（４０，４１）は前記マーキング（４５，４６）に向かってテーパー状になっていて特別の角度領域を定め、
前記窪みチャネルのテーパーは円錐形に構成されている、
ことを特徴とする遠隔通信端末機器。
【請求項２】
前記特別の角度領域は、通常の使用時の距離にある場合、カメラにより捕捉される角度領域に一致する、請求項１記載の遠隔通信端末機器。
【請求項３】
前記マーキング（４５，４６）は着色して目立たされているか、または自己発光性に設けられている、請求項１または２記載の遠隔通信端末機器。
【発明の詳細な説明】
【０００１】  従来の技術
例えば既存の固定網でカメラを有する遠隔通信端末機器、または移動無線システムを使用するための、カメラを有する端末機器はすでに公知である。ここでカメラは、遠隔通信端末機器のユーザの画像を例えば通話の際に撮影するため、およびビデオ情報を遠隔通信加入者に提供するために使用される（画像電話）。
【０００２】  発明の利点
主請求項の構成要件を備える遠隔通信端末機器は、自分の画像を例えばディスプレイに表示する必要がないという利点を有する。むしろ遠隔通信端末機器のユーザはマーキングに基づいて、自分が遠隔通信端末機器のカメラにより検出されているか否か、従って自分の通話相手に正しいビデオ信号を通信できるか否かを知ることができる。このことにより、自分の画像を表示するための第２のディスプレイないし第２の表示装置を省略することができる。あるいは自分の画像がただ１つのディスプレイの部分領域に表示された場合には、ディスプレイのこの部分領域を通信相手の表示のために使用することもできる。同様に本発明の通信端末機器では、カメラにより撮影されたユーザの画像をユーザに反射するミラー、ないしカメラの後方に位置する半透明ミラーを省略することができる。これにより、通信端末機器が簡素化され、軽量化され、小型化され、安価に製造し、使用することができる。
【０００３】  さらに有利には、通信端末機器はケーシングを有し、少なくとも１つのマーキングがケーシングの埋め込み個所として設けられている。このマーキングはカメラにより捕捉される角度領域にある点からだけ見ることができる。このことにより非常に簡単な手段により、カメラにより捕捉される角度領域を指示するマーキングを表示することができる。
【０００４】  さらに有利には、前記個所に着色して目立たせるか、または自己発光性に構成する。このことにより、ユーザがカメラにより捕捉される角度領域に留まる場合は、これを容易にかつ明りょうに識別することができる。とりわけこの個所が自己発光性に構成されているか、またはこれが適切な発光材料に設けられている場合には暗闇でも識別することができる。
【０００５】  さらに有利には、少なくとも１つのマーキングは、どこにカメラにより捕捉される角度領域が存在するかを指示する。これにより、通信端末機器のユーザはより簡単に、カメラにより捕捉される角度領域に対して自分を配向することができ、自分を調整することができる。なぜならユーザはマーキングによって、どこにカメラにより捕捉される角度領域が存在するかについての指示を得るからである。このことは間接的に、マーキングがユーザに、カメラにより捕捉される角度領域がどこの存在しないかを指示しても可能である。
【０００６】  さらに有利には、複数のマーキングを設ける。このことにより、ユーザが位置をカメラにより捕捉される角度領域に対して相対的に調整することにより、複数のマーキングがある場合には、比較的容易に調整を達成することができ、正しい調整を容易に知ることができる。
【０００７】  図面
本発明の実施例が図面に示されており、以下の詳細に説明する。
【０００８】図１は、カメラを有する本発明の通信端末機器の平面図である。
【０００９】図２は、図１に示された通信端末機器の側面図である。
【００１０】図３は、２つのマーキングを有する通信端末機器の側面図である。
【００１１】  実施例の説明
図１には、カメラ３０を有する本発明の通信端末機器１が示されている。通信端末機器１はとりわけ無線通信端末機器、無線電話、移動電話、ハンディフォン等として設けられている。従って以下、通信端末機器１を移動電話１として示す。移動電話１はケーシング１０および通常は表示装置２０を有する。ここで表示装置２０は本発明に重要ではない。一般的に無線電話は、例えばキー等の入力装置を有しており、この入力装置は図示されていない。同じように無線電話に通常備わっているアンテナも図示されていない。
【００１２】  図２には本発明の通信端末機器１の側面図が示されている。一方、図１は平面図を示す。ここにも通信端末機器１のケーシング１０，カメラ３０，表示装置２０，マーキング４５および窪みチャネル４０が示されている。窪みチャネル４０によってマーキング４５は通信端末機１の外のいずれの点からも見ることができるのではなく、特別の角度領域４１が存在し、この角度領域はマーキング４５を識別することのできる点を含む。側面図ではとくに、マーキング４５に向かってテーパー状の窪みチャネル４０により特別の角度領域４１が定められることが良く分かる。窪みチャネル４０をケーシング１０内で相応に成形することによって、特別の角度領域４１を任意に変更することができる。さらにカメラにより捕捉される角度領域３１が変更可能に構成されている場合には、同様の変更を特別の角度領域４１に対しても、窪みチャネル４０とマーキング４５の変更によって行うことができる。
【００１３】  無線電話１のカメラ３０はビデオ情報を記録し、このビデオ情報は通信端末機器１の動作時に通信加入者、とりわけ通信端末機器１のユーザの通話相手に伝送される。ここでカメラ３０は、カメラにより捕捉される所定の角度領域３１を定める。とりわけカメラにより捕捉される角度領域３１はカメラ３０の光学系によって制限される。本発明の無線電話１は動作時に通常はユーザによって保持され、無線電話１の上側がユーザの顔に対向する。このことにより、（遠隔の）通信端末加入者は自分の側で無線電話１に伝送された画像情報を容易に表示装置２０で見ることができるようになる。通常、無線電話１はユーザの顔の前である程度の間隔で保持される。カメラにより捕捉される角度領域３１は、本発明の通信端末機器１が通常のユーザに対して良好に適するように設定される。
【００１４】
無線電話１はさらにマーキング４５を有する。このマーキングはユーザに、カメラにより捕捉される角度領域３１を指示する。特に簡単にはこのようなマーキング４５は、これを通信端末機器１のケーシング内に埋め込んで配置することにより実現できる。このためにとりわけ円錐形に構成された窪みチャネル４０が設けられ、この窪みチャネルにマーキング４５が配置される。マーキング４５と窪みチャネル４０とは本発明により、通信端末機器１のケーシング１０へ、カメラ３０の位置とこれにより捕捉される角度領域３１に対して相対的に組み込まれ、とりわけ角度領域４１とカメラにより捕捉される角度領域３１とが通信端末機器の通常の使用時に、すなわち通信端末機器１とユーザの顔とが通常の距離にあるとき、これら領域の大部分が重なるようになる。これによって、ユーザの顔がカメラにより捕捉される角度領域３１にあるとき、ユーザがマーキング４５を識別する。または反対に、ユーザがカメラにより捕捉される角度領域３１にいるとき、ユーザがマーキングを見る。このようにしてユーザは簡単に、自分がカメラにより捕捉されるか否かを知ることができる。従ってユーザは常に、自分の通話相手に正しい自分の画像を送信することができ、例えば右ないし左の顔半分ということがない。
【００１５】  図３には、第１のマーキング４５と別のマーキング４６を有する通信端末機器１が示されている。相応して、図３の通信端末機器１は窪みチャネル４０と別の窪みチャネル４１を有する。さらに図３には表示装置２０とカメラ３０も図示されている。窪みチャネル４０，４１とマーキング４５，４６とは図３では、通信端末機器１のケーシング１０に、ユーザが通信端末機器をカメラにより捕捉される角度領域４１内の点から見るとき、のユーザが２つのマーキング４５，４６を識別するように配置されている。このことによりカメラにより捕捉される角度領域３１の識別がさらに容易になる。なぜなら、複数のマーキングを見ることができるからである。相応にして２つよりさらに多くのマーキングを設けることもできる。
【００１６】  本発明の通信端末機器の重要な利点は、カメラ３０により記録される自分の画像を表示しなくても良いことであり、従って表示装置を小型に、かつ安価に構成できることである。マーキング４５が例えば無線電話１の上部領域に、別のマーキング４６が例えば無線電話１の下部領域に取り付けられていれば、ユーザが上のマーキング４５だけを見る場合には、下のマーキング４６が見えるまでさらに下方へ移動しなければならないことが分かり、相応に下のマーキング４６だけを見る場合には、カメラ３０により捕捉される角度領域３１に達するには、上方へ移動しなければならないことが分かる。例えば三角形を形成する３つのマーキングが設けられている場合、ユーザはマーキングによって無線電話１の横方向についての情報も得ることができる。
【００１７】  さらにマーキング４５，４６が矢印として構成されていれば、ここからどの領域にカメラにより捕捉される角度領域３１が存在するという情報を得ることができる。
【図面の簡単な説明】
【図１】  図１は、カメラを有する本発明の通信端末機器の平面図である。
【図２】  図２は、図１に示された通信端末機器の側面図である。
【図３】  図３は、２つのマーキングを有する通信端末機器の側面図である。
【図１】
0005221832.tif 000002
【図２】
0005221832.tif 000003
【図３】
0005221832.tif 000004